(57)【特許請求の範囲】
【請求項１】
長手方向と、幅方向と、それらに交差する上下方向とを有するマグネットキャッチにおいて、
前記上下方向において互いに対向する上下端面と、前記上下端面間において前記上下方向へ延びる内部に永久磁石が収容された収容部と、前記収容部の前記長手方向の両側に位置するアーム部とを有し、
前記アーム部は、前記下端面から上方へ延びる基端部と、前記基端部と前記上下方向において対向する先端部とを有し、
前記アーム部の前記先端部が前記収容部から前記長手方向の外側へ向かって離間しており、前記アーム部の前記幅方向の寸法が、前記基端部から前記先端部に向かって次第に大きくなっており、
前記アーム部の前記先端部の外面には、上方に向かうにつれて幅狭となる段差面が形成されていて、
前記アーム部の前記先端部は、第１対象物に対応する第１段差部と、前記第１段差部の下方に位置する、前記第１対象物の板厚よりも大きな板厚を有する第２対象物に対応する第２段差部と、前記第２段差部の下方に位置する、前記第２対象物の板厚よりも大きな板厚を有する第３対象物に対応する第３段差部とを有し、
前記第３段差部の幅寸法が前記第２段差部の幅寸法よりも大きく、前記第２段差部の幅寸法が前記第１段差部の幅寸法よりも大きくされていて、
前記収容部の前記幅方向において互いに対向する前後端面は蛇腹状であって、前記アーム部の外面には、蛇腹状の部分は形成されていないことを特徴とする前記マグネットキャッチ。
【請求項２】
前記アーム部の前記基端部の前記幅方向の寸法が、前記収容部の前記幅方向の寸法よりも小さい請求項１に記載のマグネットキャッチ。
【請求項３】
前記収容部の上方に位置する円形の頭部をさらに有し、前記アーム部は、前記頭部の外形に沿う曲状を有する請求項１又は２に記載のマグネットキャッチ。
【請求項４】
前記アーム部は、前記幅方向において対向する両側縁を有し、前記両側縁は、前記下端面から上方へ斜めに延びる第１傾斜部分と、前記第１傾斜部分から前記幅方向の外側へ屈曲する屈曲部分と、前記屈曲部分からさらに前記幅方向の外側に傾斜して上方へ延びる第２傾斜部分とを有する請求項１〜３のいずれかに記載のマグネットキャッチ。
【発明の詳細な説明】
【技術分野】
【０００１】
本発明は、磁力による２つの対象物を近接した状態で保持するマグネットキャッチに関する。
【背景技術】
【０００２】
従来、家具の扉等に用いられ、扉の閉鎖状態を維持するためのマグネットキャッチは知られている。例えば、特許文献１には、長手方向、幅方向及び上下方向を有する直方状のケース内に永久磁石が収容されており、ケースの長手方向において互いに対向する両側部には、弾性変形可能なアームが配置されたマグネットキャッチが開示されている。
【先行技術文献】
【特許文献】
【０００３】
【特許文献１】特開２００２−１４７０９４号
【発明の概要】
【発明が解決しようとする課題】
【０００４】
特許文献１に開示されたマグネットキャッチによれば、アームはケースの長手方向へ弾性変形可能であり、扉等に形成された取付孔に挿入した状態においてアームの復元力を利用して固定することができる。
【０００５】
しかし、アームの幅寸法は、基端部から先端部へ向かって同一であって、そのアームの弾性変形を容易にするために幅寸法を比較的に小さくした場合には、先端部において対象物を安定的に保持することができず、一方、対象物を安定的に保持するためにかかる幅寸法を比較的に大きくした場合には、アームが弾性変形し難くなるおそれがある。
【０００６】
本発明は、従来のマグネットキャッチの改良であって、アームを弾性変形させて安定的に対象物を保持することができるマグネットキャッチの提供に関する。
【課題を解決するための手段】
【０００７】
課題を解決するために本発明は、長手方向と、幅方向と、それらに交差する上下方向とを有するマグネットキャッチに関する。
【０００８】
本発明に係るマグネットキャッチは、前記上下方向において互いに対向する上下端面と、前記上下端面間において前記上下方向へ延びる内部に永久磁石が収容された収容部と、前記収容部の前記長手方向の両側に位置するアーム部とを有し、前記アーム部は、前記下端面から上方へ延びる基端部と、前記基端部と前記上下方向において対向する先端部とを有し、前記アーム部の前記先端部が前記収容部から前記長手方向の外側へ向かって離間しており、前記アームの前記幅方向の寸法が、基端部から前記先端部に向かって次第に大きくなっており、前記アーム部の前記先端部の外面には、上方に向かうにつれて幅狭となる段差面が形成されていて、前記アーム部の前記先端部は、第１対象物に対応する第１段差部と、前記第１段差部の下方に位置する、前記第１対象物の板厚よりも大きな板厚を有する第２対象物に対応する第２段差部と、前記第２段差部の下方に位置する、前記第２対象物の板厚よりも大きな板厚を有する第３対象物に対応する第３段差部とを有し、前記第３段差部の幅寸法が前記第２段差部の幅寸法よりも大きく、前記第２段差部の幅寸法が前記第１段差部の幅寸法よりも大きくされていて、前記収容部の前記幅方向において互いに対向する前後端面は蛇腹状であって、前記アーム部の外面には、蛇腹状の部分は形成されていないことを特徴とする。
【０００９】
本発明には、次のような好ましい実施態様がある。
（１）前記アーム部の前記基端部の前記幅方向の寸法が、前記収容部の前記幅方向の寸法よりも小さい。
（２）前記収容部の上方に位置する円形の頭部をさらに有し、前記アーム部は、前記頭部の外形に沿う曲状を有する。
（３）前記アーム部は、前記幅方向において対向する両側縁を有し、前記両側縁は、前記下端面から上方へ斜めに延びる第１傾斜部分と、前記第１傾斜部分から前記幅方向の外側へ屈曲する屈曲部分と、前記屈曲部分からさらに前記幅方向の外側に傾斜して上方へ延びる第２傾斜部分とを有する。
【発明の効果】
【００１０】
本発明に係るマグネットキャッチにおいては、アームの幅方向の寸法が、基端部から先端部に向かって次第に大きくなっていることから、基端部が可撓性を有して弾性変形し易く、一方、先端部が対象物に対する比較的に大きな当接面積を有することから、マグネットキャッチを対象物に安定的に固定することができる。
【図面の簡単な説明】
【００１１】
【図１】マグネットキャッチの斜視図。
【図２】マグネットキャッチの正面図。
【図３】マグネットキャッチの側面図。
【図４】マグネットキャッチの分解斜視図。
【図５】（ａ）〜（ｃ）マグネットキャッチの取付状態を示す説明図。
【発明を実施するための形態】
【００１２】
本発明に係るマグネットキャッチ１０は、互いに交差する幅方向Ｘと、長手方向Ｙと、上下方向Ｚとを有し、上端面１０ａ及び下端面１０ｂと、ケース２０と、ケース２０内に収容される永久磁石５０と、ケース２０の下端開口２０ｂを塞ぐ蓋体６０とを含む。マグネットキャッチ１０は、対象物１の円形の取付孔２に取り付けられ、内部の磁力によって、対象物１とそれに対向する被対象物（図示せず）とを近接した状態で互いに連結することができる。本明細書において、説明のために、マグネットキャッチ１０の幅方向Ｘにおいて対向する一方面側を正面、他方側を背面という。
【００１３】
図２〜図４を参照すると、ケース２０は、永久磁石を収容する硬質プラスチック製の筐体であって、上端面（頭部２１の外面）１０ａ及び下端開口２０ｂと、円形状の頭部２１と、内部に永久磁石が収容された収容部３０と、収容部３０の幅方向Ｘの両側に位置するアーム部４０とを有する。収容部３０は断面矩形の中空であって、下方側に位置する開口から直方体状の永久磁石５０が内部に挿入されている。収容部３０内に永久磁石５０が挿入された状態において、ケース２０の下端開口２０ｂの開口縁に蓋体６０を嵌合させることによって、ケース２０は組み立てられている。蓋体６０は、ケース２０に着脱可能に嵌着されていてもよいし、接着剤によって接合されていてもよい。
【００１４】
収容部３０は、直方体状であって、幅方向Ｘにおいて互いに対向する正面３１及び背面３２と、長手方向Ｙにおいて互いに対向する一方側面３３及び他方側面３４と、それらによって画成された永久磁石５０が配置された空間部３５とを有する。収容部３０の前面３１及び後面３２は、上下方向へ並んで配置された複数の突起によって形成された蛇腹状を有する。なお、収容部３０の空間部３５に永久磁石５０を複数配置してもよいし、永久磁石５０の吸着力を増幅するために、鋼製のヨークを単数又は複数配置してもよい。
【００１５】
アーム部４０は、上端縁４０ａ及び両側縁４３と、マグネットキャッチ１０の基端部４１よりも幅広の下端面１０ｂから上方へ延びる基端部４１と、基端部４１と上下方向Ｚにおいて対向する先端部４２とを有する。先端部４２は、下方から上方へ向かって次第に幅狭となる段差状であって、上方側から下方側へ向かって連なる第１〜第３段差部４２ａ〜４２ｃを有する。図３を参照すると、アーム部４０は、基端部４１から先端部４２に向かって幅寸法が次第に大きくなっている。アーム部４０の両側縁４３は、下方側から上方側へ向かって次第に幅方向Ｘにおいて離間するように延びる第１傾斜部分４３ａと、段差状の先端部４２よりも下方において僅かに幅方向Ｘの外側へ屈曲する屈曲部分４３ｂと、屈曲部分４３ｂからさらに幅方向Ｘの外側へ延びる第２傾斜部分４３ｃとを有する。アーム部４０の両側縁４３が屈曲部分４３ｂを有することによって、第１傾斜部分４３ａを上端縁４０ａまで延在させた場合に比して、基端部４１に対して先端部４２の幅寸法Ｗ２をより大きく形成することができる。具体的には、基端部４１のうちの最も幅狭部分の幅方向Ｘの寸法Ｗ１は、先端部４２のうちの最も幅広の部分の幅方向Ｘの寸法Ｗ２の約５０〜８０％、好ましくは、約６０〜７０％の大きさである。ただし、基端部４１が所要の可撓性を有し、かつ、先端部４２が所要の当接面積を有する限りにおいて、アーム部４０は、基端部４１から先端部４２へ向かって次第に幅広になる形状を有していてもよい。
【００１６】
また、アーム部４０のうちの基端部４１の幅寸法Ｗ１は、収容部３０の一方側面３３（又は他方側面３４）の幅寸法Ｗ３よりも小さくなっている。基端部４１は、アーム部４０が所要の可撓性を有するために比較的に幅寸法Ｗ１が小さくされていることから、マグネットキャッチ１０の保管、運搬時において、マグネットキャッチ１０が外部から衝撃を受けた場合に、基端部４１の両端が欠けたり折れたりするおそれがあるが、収容部３０の幅寸法Ｗ３よりも基端部４１の幅寸法Ｗ１が小さいことによって、基端部４１が直接衝撃を受けて破損するおそれはない。また、図示した態様では、アーム部４０の先端部４２の幅寸法Ｗ２が収容部３０の幅寸法Ｗ３よりも小さくなっている。先端部４２の幅寸法Ｗ２は、取付孔２の大きさに合わせて適宜調整することが必要であって、収容部３０の幅寸法Ｗ３よりも大きいことも考えられるが、図示した態様のように、幅寸法Ｗ２が幅寸法Ｗ３よりも小さいことによって、幅方向Ｘにおいてアーム部４０全体が収容部３０から外方へ延出することはなく、保管、運搬時にマグネットキャッチ１０が外部衝撃を受けた場合でも、先鋭状の先端部４２の両端が破損したりするおそれはない。
【００１７】
図１及び図４（ｂ）を参照すると、アーム部４０は、円形の頭部２１の僅かに長手方向Ｙの外側に位置し、その外形に沿う曲状を有している。アーム部４０が、曲状をなしていることによって、それが平板状である場合に比して、対象物１の取付孔２の開口周縁に面状して当接するので、安定的に固定することができる。
【００１８】
図２を参照すると、ケース２０を形成する頭部２１、収容部３０及びアーム部４０は一体的に成形されており、収容部３０の基端部とアーム部４０の基端部４１とは、ケース２０の下端２０ｂにおいて一体化されている。また、アーム部４０は、下端面１０ｂから上方側へ向かって次第に収容部３０から離間するように長手方向Ｙの外側へ延びている。具体的には、基端部４１における収容部３０の一方側面（又は他方側面）とアーム部４０の内面との長さ方向Ｙの離間寸法Ｒ１は、先端部４２における収容部３０の一方側面（又は他方側面）とアーム部４０の内面との長さ方向Ｙの離間寸法Ｒ２の約４０〜７０％、好ましくは、約５０〜６０％の大きさを有する。ケース２０がかかる構成を有することによって、アーム部４０は、収容部３０に対して接近、離間するように長さ方向において弾性変形可能である。
【００１９】
図５（ａ）〜（ｃ）を参照すると、マグネットキャッチ１０は、頭部２１の径寸法Ｄ１よりも僅かに小さい径寸法Ｄ２を有する対称物１の取付孔２に固定される。マグネットキャッチ１０を対象物１の取付孔２に取り付けるときの作用について説明すると、まず、対象物１の正面側からマグネットキャッチ１０の収容部２０を取り付け孔２に挿入する。このとき、取り付け孔２の径寸法Ｄ２が、頭部２１の径寸法Ｄ１よりも僅かに小さいので、一対のアーム部４０が取付孔２の開口縁に当接されて、長手方向Ｙの内側へ弾性変形する。かかる状態において、マグネットキャッチ１０をさらに押し込むと、ケース２０の頭部２１が対象物１の内面に当接してその挿入が阻止されるとともに、弾性変形したアーム部４０の復元力によって対象物１Ａ〜１Ｃの板厚ｔ１〜ｔ３に対応した各段差部４２ａ〜４２ｃと頭部２１とによって対象物１Ａ〜１Ｃを挟圧した状態となり、マグネットキャッチ１０対象物１に安定的に取り付けられる。
【００２０】
このように、アーム部４０を弾性変形させてその復元力によって、対象物１に安定的に取り付けるためには、アーム部４０の基端部４１が比較的に幅狭であることが好ましい。基端部４１が比較的に幅広の場合には、可撓性が低くなり、所要の復元力を発揮することができないおそれがあるからである。一方、先端部４２のうちの取付孔２の開口縁２ａと当接する各段差部４２ａ〜４２ｃは、十分な当接面積を有するために、比較的に幅広であることが好ましい。本実施形態にかかるアーム部４０では、基端部４１の幅寸法Ｗ１が先端部４２の幅寸法Ｗ２よりも小さく、基端部４１が比較的に幅狭である一方、先端部４２が比較的に幅広であることから、基端部４１において十分な可撓性を発揮するとともに、対象物１に対して十分な当接面積を確保することができ、マグネットキャッチ１０をより安定的に固定することができる。
【００２１】
また、アーム部４０の両側縁４３は、下端１０ｂから上方へ延びる第１傾斜部分４３ａと、屈曲部分４３ｂから第１傾斜部分４３ａよりもさらに幅方向Ｘの外側へ向かって上方へ延びる第２傾斜部分４３ｂとを有することから、第１傾斜部分４３ａが先端まで延びる場合に比して、先端部４２の幅寸法をより大きく形成することができ、対象物１に対する当接面積を有することができる。
【００２２】
図５（ａ）は段差部４２ａに対応した比較的に板厚ｔ１の小さな対象物１Ａ、図５（ｂ）は、段差部４２ｂに対応した、対象物１Ａよりも大きな板厚ｔ２を有する対象物１Ｂ、図５（ｃ）は、対象物１Ｂよりも大きな板厚ｔ３を有する対象物１Ｃに、それぞれ、マグネットキャッチ１０が取り付けられており、アーム部４０の先端部４２に複数の段差部４２ａ〜４２ｃからなる段差面が形成されていることによって、このように、板厚ｔ１〜ｔ３の異なる取付物１Ａ〜１Ｃに対しても適応することができる。
【００２３】
また、アーム部４０が平板状である場合には、円形の取付孔２の開口縁との間に隙間が形成されて取り付けが不安定になるおそれがあるが、頭部２１の外形状に沿う曲状を有することから、円形の取付孔２の開口縁２ａに安定的にフィットされてしっかりと固定される。
【００２４】
また、収容部２０の前後端面３１,３２が蛇腹状であることによって、それが平滑な形状である場合に比して、取付孔２の開口縁に対して摩擦抵抗が生じやすく、マグネットキャッチ１０の移動が抑制される。また、所要の板厚を有する木板にマグネットキャッチ１０を取り付けた場合に、蛇腹状の前後端面３１，３２が木板の取付孔の内周面に当接することによって、アーム部４０による弾性が作用しなくても安定して木板に取り付けることができる。
【符号の説明】
【００２５】
１Ａ  対象物（第１対象物）
１Ｂ  対象物（第２対象物）
１Ｃ  対象物（第３対象物）
１０  マグネットキャッチ
１０ａ  上端面
１０ｂ  下端面
２１  頭部
３０  収容部
３１  前端面
３２  後端面
４０  アーム部
４１  基端部
４２  先端部
４２ａ  段差部（第１段差部）
４２ｂ  段差部（第２段差部）
４２ｃ  段差部（第３段差部）
４３  アーム部の両側縁
４３ａ  第１傾斜部分
４３ｂ  屈曲部分
４３ｃ  第２傾斜部分
５０  永久磁石
ｔ１  板厚
ｔ２  板厚
ｔ３  板厚
Ｗ１  アーム部の基端部の幅寸法
Ｗ２  アーム部の先端部の幅寸法
Ｗ３  収容部の幅寸法
Ｘ  幅方向
Ｙ  長手方向
Ｚ  上下方向
【図１】
0006532782.tif 000002
【図２】
0006532782.tif 000003
【図３】
0006532782.tif 000004
【図４】
0006532782.tif 000005
【図５】
0006532782.tif 000006